【手続補正書】
【提出日】平成24年9月21日(2012.9.21)
【手続補正１】
【補正対象書類名】特許請求の範囲
【補正対象項目名】全文
【補正方法】変更
【補正の内容】
【特許請求の範囲】
【請求項１】
画像発生機に少なくとも１つが組み込まれたインクリザーバを備え、インクリザーバは、伝熱性が高い材料により形成され、液状インクを通過させる開口であって、開口を介して少なくとも１つのインクリザーバに液状インクが受け入れられる開口と、開口を介して受け入れられた液状インクの量を維持するように構成された室とを含み、インクリザーバは、画像発生機の少なくとも１つのプリントヘッドに室内の液状インクを供給可能に構成されたインクリザーバと、
少なくとも１つのインクリザーバの少なくとも一部を覆うように、そのインクリザーバの上方に位置する頂部壁及び下方に位置する底部壁並びにそれら頂部壁と底部壁との間に上下に延びる複数の側壁を有するハウジングと、
を備え、
そのハウジングの複数の側壁が、各側壁とインクリザーバとの間に第１空隙が形成され、各側壁がインクリザーバの伝熱性が高い材料から離れるよう、当該ハウジングの頂部壁及び底部壁に形成された案内溝にその縁がはめ込まれたマイカパネルによって形成されており、
そのハウジングの側壁のうち少なくとも１つは、インクリザーバとの間に第１空隙を形成する内側側壁と、この内側側壁から離れて、内側側壁との間に第２空隙を形成する外側側壁とを含んで構成され、当該ハウジングの頂部壁及び底部壁は、熱絶縁性材料により形成されるとともに複数本の案内溝を含み、それぞれの案内溝は、複数の側壁の１つの縁をはめ込んで、インクリザーバとの間に第１空隙を形成し、外側側壁と内側側壁との間に第２空隙を形成するように構成されているインク溜め供給アセンブリ。
【請求項２】
請求項１に記載のインク溜め供給アセンブリであって、
ハウジングの頂部壁及び底部壁を形成する熱絶縁性を有する材料は、プラスチックを含んで構成されるインク溜め供給アセンブリ。
【請求項３】
請求項２に記載のインク溜め供給アセンブリであって、
複数の側壁のマイカパネルのそれぞれは、約７．５×１０-4ｍの厚さを有するインク溜め供給アセンブリ。
【請求項４】
画像発生機に少なくとも１つが組み込まれたインクリザーバを備え、インクリザーバは、伝熱性が高い材料により形成され、液状インクを通過させる開口であって、開口を介して少なくとも１つのインクリザーバに液状インクが受け入れられる開口と、開口を介して受け入れられた液状インクの量を維持するように構成された室とを含み、インクリザーバは、画像発生機の少なくとも１つのプリントヘッドに室内の液状インクを供給可能に構成されたインクリザーバと、
少なくとも１つのインクリザーバの少なくとも一部を覆うように、そのインクリザーバの上方に位置する頂部壁及び下方に位置する底部壁並びにそれら頂部壁と底部壁との間に上下に延びる複数の側壁を有するハウジングと、
を備え、
そのハウジングの複数の側壁が、各側壁とインクリザーバとの間に第１空隙が形成され、各側壁がインクリザーバから離れるよう、当該ハウジングの頂部壁及び底部壁に形成された案内溝にその縁がはめ込まれており、
そのハウジングの側壁のうち少なくとも１つは、インクリザーバとの間に第１空隙を形成する内側側壁と、この内側側壁から離れて、内側側壁との間に第２空隙を形成する外側側壁とを含んで構成され、当該ハウジングの頂部壁及び底部壁は、複数本の案内溝を含み、それぞれの案内溝は、複数の側壁の１つの縁をはめ込んで、インクリザーバとの間に第１空隙を形成し、外側側壁と内側側壁との間に第２空隙を形成するように構成されているインク溜め供給アセンブリ。
【請求項５】
請求項４に記載のインク溜め供給アセンブリであって、
複数の側壁はマイカパネルによって形成されているインク溜め供給アセンブリ。
【請求項６】
請求項５に記載のインク溜め供給アセンブリであって、
マイカパネルは、約７．５×１０-4ｍの厚さを有するインク溜め供給アセンブリ。
【請求項７】
請求項４に記載のインク溜め供給アセンブリであって、
ハウジングの頂部壁及び底部壁は、熱絶縁性材料により形成されているインク溜め供給アセンブリ。
【請求項８】
請求項４に記載のインク溜め供給アセンブリであって、
少なくとも１つのインクリザーバは、溶融した相変化インクを開口を介して受け入れ、溶融した相変化インクを画像発生機内の相変化インクプリントヘッドに供給するように構成されているインク溜め供給アセンブリ。
【請求項９】
請求項８に記載のインク溜め供給アセンブリであって、
少なくとも１つのインクリザーバは、さらにインクリザーバ内に蓄えている相変化インクの液相を維持する温度で維持するように加熱する加熱器を有するインク溜め供給アセンブリ。
【請求項１０】
請求項４に記載のインク溜め供給アセンブリであって、
第２空隙は、２つのマイカパネルの間の幅を約２×１０-3ｍとしているインク溜め供給アセンブリ。
【手続補正２】
【補正対象書類名】明細書
【補正対象項目名】発明の名称
【補正方法】変更
【補正の内容】
【発明の名称】インク溜め供給アセンブリ
【手続補正３】
【補正対象書類名】明細書
【補正対象項目名】０００６
【補正方法】変更
【補正の内容】
【０００６】
ここに、流動化インクリザーバにおける熱損失を抑圧乃至防止し、より優れた相変化インク画像発生機を実現するため、第１の本発明に係るインク溜め供給アセンブリは、画像発生機に少なくとも１つが組み込まれたインクリザーバを備え、インクリザーバは、伝熱性が高い材料により形成され、液状インクを通過させる開口であって、開口を介して少なくとも１つのインクリザーバに液状インクが受け入れられる開口と、開口を介して受け入れられた液状インクの量を維持するように構成された室とを含み、インクリザーバは、画像発生機の少なくとも１つのプリントヘッドに室内の液状インクを供給可能に構成されたインクリザーバと、少なくとも１つのインクリザーバの少なくとも一部を覆うように、そのインクリザーバの上方に位置する頂部壁及び下方に位置する底部壁並びにそれら頂部壁と底部壁との間に上下に延びる複数の側壁を有するハウジングと、を備え、そのハウジングの複数の側壁が、各側壁とインクリザーバとの間に第１空隙が形成され、各側壁がインクリザーバの伝熱性が高い材料から離れるよう、当該ハウジングの頂部壁及び底部壁に形成された案内溝にその縁がはめ込まれたマイカパネルによって形成されており、そのハウジングの側壁のうち少なくとも１つは、インクリザーバとの間に第１空隙を形成する内側側壁と、この内側側壁から離れて、内側側壁との間に第２空隙を形成する外側側壁とを含んで構成され、当該ハウジングの頂部壁及び底部壁は、熱絶縁性材料により形成されるとともに複数本の案内溝を含み、それぞれの案内溝は、複数の側壁の１つの縁をはめ込んで、インクリザーバとの間に第１空隙を形成し、外側側壁と内側側壁との間に第２空隙を形成するように構成されている。また、第２の本発明に係るインク溜め供給アセンブリは、画像発生機に少なくとも１つが組み込まれたインクリザーバを備え、インクリザーバは、伝熱性が高い材料により形成され、液状インクを通過させる開口であって、開口を介して少なくとも１つのインクリザーバに液状インクが受け入れられる開口と、開口を介して受け入れられた液状インクの量を維持するように構成された室とを含み、インクリザーバは、画像発生機の少なくとも１つのプリントヘッドに室内の液状インクを供給可能に構成されたインクリザーバと、少なくとも１つのインクリザーバの少なくとも一部を覆うように、そのインクリザーバの上方に位置する頂部壁及び下方に位置する底部壁並びにそれら頂部壁と底部壁との間に上下に延びる複数の側壁を有するハウジングと、を備え、そのハウジングの複数の側壁が、各側壁とインクリザーバとの間に第１空隙が形成され、各側壁がインクリザーバから離れるよう、当該ハウジングの頂部壁及び底部壁に形成された案内溝にその縁がはめ込まれており、そのハウジングの側壁のうち少なくとも１つは、インクリザーバとの間に第１空隙を形成する内側側壁と、この内側側壁から離れて、内側側壁との間に第２空隙を形成する外側側壁とを含んで構成され、当該ハウジングの頂部壁及び底部壁は、複数本の案内溝を含み、それぞれの案内溝は、複数の側壁の１つの縁をはめ込んで、インクリザーバとの間に第１空隙を形成し、外側側壁と内側側壁との間に第２空隙を形成するように構成されている。